(57)【要約】【課題】            複数の送風機を連結装置により連結した送風装置について、送風機の吹出し方向の変更や角度の調節が容易な送風装置を得る。【解決手段】        複数の送風機２ａ，２ｂ，２ｃを連結装置により連結した送風装置について、連結装置は送風機２ａ，２ｂ，２ｃを支持する支持部材７２，７３と、この支持部材７２，７３を取り付けて送風装置を天井等に固定する連結部材７１とで構成し、支持部材７２，７３は連結部材７１に送風機２ａ，２ｂ，２ｃの送風方向を変更可能に取り付け、支持部材７２，７３には送風機２ａ，２ｂ，２ｃを支持する回動部を設け、送風機２ａ，２ｂ，２ｃは回動部を中心に送風方向を変更可能に取り付けられる。【選択図】          図１４
2008145099.tif 000002
【特許請求の範囲】
【請求項１】
複数の送風機を連結装置により連結した送風装置であって、前記連結装置は前記送風機を支持する支持部材と、この支持部材を取り付けて前記送風装置を天井等に固定する連結部材とで構成し、前記支持部材は前記連結部材に送風機の送風方向を変更可能に取り付けたことを特徴とする送風装置。
【請求項２】
複数の送風機を連結装置により連結した送風装置であって、前記連結装置は前記送風機を支持する支持部材と、この支持部材を取り付けて前記送風装置を天井等に固定する連結部材とで構成し、前記支持部材には前記送風機を支持する回動部を設け、前記送風機は前記回動部を中心に送風方向を変更可能に取り付けられていることを特徴とする送風装置。
【請求項３】
複数の送風機を連結装置により連結した送風装置であって、前記連結装置は前記送風機を支持する支持部材と、この支持部材を取り付けて前記送風装置を天井等に固定する連結部材とで構成し、前記支持部材は前記連結部材に送風機の送風方向を変更可能に取り付け、前記支持部材には前記送風機を支持する回動部を設け、前記送風機は前記回動部を中心に送風方向を変更可能に取り付けられていることを特徴とする送風装置。
【発明の詳細な説明】
【技術分野】
【０００１】
この発明は、気流を発生させる送風機を複数台連結装置で連結し、個々の送風機の送風方向を変更出来る送風装置に関するものである。
【背景技術】
【０００２】
従来の送風機は、特許３０１３６８６号に記載されているように、複数の軸流送風機を一列に並べて一体に構成し、取付装置により送風機の両端を回動自在に支えた構造で、取付装置により天井などに取付け固定されて、気流を一定の方向に吹出すもので、取付装置に固定された送風機は取付装置に回動可能支持されて、１つの回転軸で回動する方向に気流の吹出し方向が変更できるものである。
【０００３】
【特許文献１】特許３０１３６８６号
【発明の開示】
【発明が解決しようとする課題】
【０００４】
従来の送風装置は、天井等に固定され１つの回転軸で回動可能に支持されて、気流の吹出し方向を変更させることが出来るが、例えば１つの回転軸の回転方向以外に別の回転軸の回転方向にも気流を生成させるように複数の方向に吹き出す場合には、送風機を吹出し方向に応じて別の送風機を設置して、台数を増やさなければならないという課題がある。
【０００５】
また、送風機設置後は吹出方向の変更や角度調節は１つの回転軸の回転方向でしか変更できないため、複数の方向に同時に吹き出す場合や、複数の別の方向に気流の吹出方向を変更したり角度を調節する場合は、取付方向を変更する工事が必要になる等、吹出し方向の変更や角度の調節が容易でないといった課題がある。
また、従来の送風機では、設置場所合わせて、送風機の長さを合わせていた。このため、製品の種類が増え、生産性を高めにくく、輸送、取り扱い等手間が増え製品のコストアップになる等の課題があった。
【課題を解決するための手段】
【０００６】
この発明による送風装置は複数の送風機を、送風機を支持する支持部材と、支持部材を取り付けて送風装置を天井等に固定する連結部材とで構成し、支持部材は連結部材に送風機の送風方向を変更可能に取り付け、支持部材には送風機を支持する回動部を設け、送風機は回動部を中心に送風方向を変更可能に取り付けられたものである。
【発明の効果】
【０００７】
この発明は、複数の送風機を連結装置で連結し、気流の吹出し方向を変更できるようにしたので、各々の送風機の気流吹出し方向が容易に変更、調節でき、これにより設置時の取付工事が容易にできる効果がある。
また、個々の送風機の連結状態を変えることで送風方向が容易に変えられ、用途に応じた気流が得られる効果がある。
【発明を実施するための最良の形態】
【０００８】
参考例としての実施の形態１．
実施の形態１は複数の送風機を連結装置により連結し、中央の送風機に対して両側の送風機を回動自在に支持し、気流の吹出し方向の変更を自在にできるようにしたもので、図１から図１１を用いて説明する。
【０００９】
送風装置は、地下駐車場、機械室、倉庫、工場、店舗などの天井面に天吊又は天井固定や、もしくは床に床置き等の状態に設置され、ダクトレスによる換気の補助送風、もしくは室内空気のサーキュレーション、あるいは出入口等の空気遮断用のエアーカーテンとして用いられる。
図において、送風装置１は複数の送風機２ａ、２ｂ、２ｃを連結装置１２ａと１２ｂとで連結した構成である。
以下の説明は送風機２ａと２ｂとの関係で説明し、送風機２ａと２ｃとの関係は連結装置の構成部品の形状が対称である以外送風機２ａと２ｂとの関係に同じであり省略する。
【００１０】
送風機２ａ、２ｂ、２ｃの内部構造は図４に示す構成をしているので送風機２ａの場合で説明する。
送風機２ａの本体３ａには図４の構成が４組組み込まれている。本体３ａの一方に４個並んだ複数の吸込口５を有し、他方に吸込口５に連通する吹出口６を設けて、吸込口５から吹出口６の間に軸流の羽根車４および電動機８とを備えている。
吸込口５はベルマウス状７に形成されている。吹出口６には吹出口６を平行の細長い形状の複数の開口に分けるガイド９を設け、そのガイド９は吹出口６側を底辺とする略五角形に構成され、このガイド９の角部９ａと、この角部９ａに対向する吹出口６の下端６ａとに丸みを持たせて、帯状の気流が吹出されるようになっている。
【００１１】
送風装置１はこの送風機を組み合わせて使用する。用途に応じて、この実施の形態のように組合せ個数を変え長さの違うものを組み合わせることも有る。また、この軸流式送風機と後述する還流式や多翼式送風機とを組み合わせるなど構造の違う送風機を組み合わせて使用することもできる。
連結装置は送風機２ａの左側に取り付けられる１２ａと、右側に取り付けられる１２ｂとがあるが、１２ａと１２ｂは対称の関係にあり１２ａを代表として説明し、１２ｂはこれを参照する。
【００１２】
連結装置１２ａは送風機２ａの側板１０ａ側に取付けられる連結板１３ａと、送風機２ｂの側板１０ｂ側に取付けられる連結板１３ｂとを、連結ねじ１５で締付け連結して構成される。
送風機２ａの側板１０ａには、送風機２ｂを回動自在に支持するために、連結板１３ａを取付けるための支持ねじ１４ａと、回動位置を決める角度ピッチねじ穴１１を支持ねじ１４ａを中心として、ピッチ円状に角度１０度間隔で１８０度の範囲に設けている。なお、送風機２ａの回動は支持ねじ１４ａを回転軸として回転する。
【００１３】
連結板１３ａは送風機２ａの側板１０ａに設けられた支持ねじ１４ａが挿通され締付け固定される通し穴１８と、送風機２ａの回動位置を決める側板１０ａの角度ピッチねじ穴１１の位置に一致し、止めねじ１９ａを挿通する位置決め穴１９を取付面１７に有している。支持ねじ１４ａと止めねじ１９ａを緩めれば、送風機２ａを例えば上下方向に回動して気流の吹出し方向の位置を決めることができる。位置が決まれば支持ねじ１４ａと止めねじ１９ａを締めて固定支持する。
取付面１７の上方には、送風装置１を建物の天井面等に取付けるための設置用取付手段としての取付面２５が取付面１７と直角に構成されている。取付面２５にはねじを締付けるための取付穴２５ａが２個設けられている。
【００１４】
また、取付面１７の側辺には取付面１７に直角に立上面２０を形成し、立上面２０の端部を取付面１７と反対側へ直角に曲げて、連結支持部２１を上下に２箇所形成している。連結支持部２１には送風機２ｂに取付けられる連結板１３ｂの連結支持部３４に設けられた連結ねじ穴３５と、角度ピッチ穴３６に一致するように連結穴２２と、止めねじ２３ａを締めつける止めねじ穴２３が設けられている。連結板１３ａと１３ｂを組合せて連結ねじ１５を締付けることにより、連結板１３ａと１３ｂは連結される。
【００１５】
連結板１３ａと１３ｂは連結ねじ１５と止めねじ２３ａを緩めれば、連結ねじ１５を中心に送風機２ｂを、例えば左右方向に回動させて、気流の吹出し方向の変更や調節をして位置を決めることができる。送風機２ｂの回動は連結ねじ１５を回転軸として回動する。位置が決まれば連結ねじ１５と止めねじ２３ａを締めて固定支持する。
【００１６】
送風機２ｂに取付けられる連結板１３ｂは、送風機２ｂの側板１０ｂに設けられた支持ねじ１４ｂが挿通され締付け固定される通し穴３１と、送風機２ｂの回動位置を決める側板１０ｂの角度ピッチねじ穴１１の位置に一致する止めねじ３２ａを挿通する位置決め穴３２を有する取付面３０を有している。
また、連結板１３ｂの取付面３０の上下の両側に、送風機２ａ側に取り付けられた連結板１３ａの連結支持部２１の連結穴２２と止めねじ穴２３に合うように、連結ねじ穴３５と角度ピッチ穴３６が設けられた連結支持部３４が形成されている。
連結板１３ｂの連結支持部３４は連結板１３ａの連結支持部２１の外側に挟むように取付けられる。
角度ピッチ穴３６は連結ねじ穴３５を中心としたピッチ円上に角度１０度間隔で１８０度の範囲に、穴と穴が破れて繋がった状態で形成されている。なお、送風機２ｂの回動は支持ねじ１４ｂを回転軸として回動する。
【００１７】
このように構成された送風装置１は連結装置の連結支持部２１，３４の連結穴２２と連結ねじ穴３５に締付けられた連結ねじ１５を回転軸として角度１０度毎に回動させ、また、連結板１３ａ，１３ｂの通し穴１８，３１に支持された支持ねじ１４ａを回転軸として角度１０度毎に回動させるなど、複数の方向に各々回動させて吹出し方向の変更調節を自在にすることができる。
送風機２ａ，２ｂ，２ｃは吸込口５から吸込んだ空気を吹出口６から帯状の気流を吹出すが、この吹出し気流は送風機の設置状態を変えることにより、室内の空気を例えば内側から外側へ向かってダクトレスで搬送することができたり、または、サーキュレーションさせて空気を攪拌したり、部屋の出入口に設置してエアーカーテンとして室内外空間の空気遮断を行うことなどができる。
【００１８】
また、連結装置により、複数の送風機の吹出し方向を変えて各々異なった方向へ帯状気流を一台の送風装置で吹出すことができるので、吹出し方向毎に送風機を設置変更したり増設する必要がない。
また、送風機を設置した後に、吹出し方向を調節したリ、変更が容易にできるので、設置する際に位置決め精度を必要とせず、送風方向を変更する工事や、取付工事の作業を容易にすることができる。
また、送風装置１は設置する際の気流の吹出し角度を、例えば上下・左右方向の設定が、側板１０ａ及び連結板１３ｂに設けられた角度ピッチ穴１１、３６により細い調節が容易にできる。
【００１９】
また、軸流送風機を使用することで、低騒音で、かつ到達距離の長い帯状気流を吹出すことが出来き、エアーカーテンなどに適しているので、この送風装置をエアーカーテンとして用いれば、連結装置１２ａ，１２ｂの角度を任意に設定して、曲線のカーテン流など、任意の形状のエアーカーテンが容易に可能となる。
また、送風機を連結する台数を変えることにより、取付け場所の幅に応じて送風装置の全長を変えることができるので、取付け場所毎に専用の長さを変えた送風装置を作る必要がなく、製品の種類を少なくして標準化により生産性を高くできる。
【００２０】
また、送風装置は図１０のように直線状態で使用する場合もあるが、輸送時には図１１のように、左右の送風装置を折畳むことにより、製品長さを短くでき荷作りがコンパクトになり、取り扱いが容易で輸送し易くなる。
なお、この実施の形態では軸流ファンを一列に並べて帯状気流を吹出す送風機を用いて説明したが、使用する送風機の種類はこれに限らず、貫流式送風機や多翼式送風機等を使用して用途に応じた送風装置を構成することができる。例えば、貫流式送風機の場合は送風機の断面積を小型にし、細長い送風機ができ小さいスペースに設置ができる。また、多翼式送風機の場合は高静圧の吹出し流が生成でき、高速の空気流が得られる等それぞれの特徴を生かした利用ができる。
【００２１】
参考例としての実施の形態２．
実施の形態２は送風装置の支持強度を高めた構成の送風装置で、連結装置に支持される送風機の外側に支持構造を設けたものである。図１２、１３を用いて説明するが、送風機の外側の支持構造に関する以外は参考例としての実施の形態１と同じであり説明は省略する。
図において、送風装置の説明は送風機２ａと２ｂとの関係で説明し、送風機２ａと２ｃとの関係は構成部品形状が対称以外は送風機２ａと２ｂとの関係に同じであり省略する。
【００２２】
送風機２ｂの連結装置１２ａに連結した反対側の側板１０ｂに取り付けた支持板６０と、送風機２ａに取り付けられた連結装置１２ａの連結板１３ａの取付面２５の端部に設けられた連結部６１とを連結チャンネル６２とで連結し、支持板６０の振動を連結板１３ａで受けて送風機２ｂの振動による送風機２ｂの揺れを防止している。
【００２３】
支持板６０は送風機２ｂの側板１０ｂに締付け固定する面６０ａに、送風機２ｂの側板１０ａの支持ねじ１４ｂが挿通され締付け固定される通し穴６３と、送風機２ｂを回動させて自在の位置に位置決めできる送風機２ｂの側板１０ａに設けられた複数個の角度ピッチ穴１１に一致する位置決め穴６４を設け、また、面６０ａの上方端に面６０ａに直角に形成された取付部６０ｂには、連結チャンネル６２を締付けるためのスリット６６（穴を連続して加工し穴と穴が破れて繋がった状態のスリット）が面６０ａに対して角度を有して設けられている。その角度は送風機２ｂが回動できる軌道に沿うように設けられている。
【００２４】
位置決め穴６４と角度ピッチ穴１１は送風機２ｂの吹出し方向を設定後、止めネジ６４ａで締付けられ取付部６０ｂと送風機２ｂの側板１０ａが固定される。
以上構成を説明したように、送風機２ｂの外側端を取付板６０と連結板１３ａとを連結チャンネル６２連結して締付け固定することにより、設置場所周辺から伝わる振動や、送風機自身の振動や、地震等の揺れに対して、送風機の外側端の揺れを押さえて安定した取付が維持できる。特に長い形状の送風機に有効な方法である。
【００２５】
実施の形態１．
発明の実施の形態としての本実施の形態１は送風機の連結を一つの連結部材に複数の送風機を回動自在に取り付けたものである。送風機は参考例としての実施の形態１と同じであり説明は省略し、ここでは連結構造について図１４を用いて説明する。
図において、送風機２ａ、２ｂ、２ｃ、は連結部材７１に各々支持部材７２、７３を介して回動自在に取付けられている。
中央の送風機２ａは両側の側板１０ａに支持部材７２を固定して連結部材７１に吊下げるように取付けられる。
【００２６】
この支持部材７２は、２つの平面がＬ形に構成され、側板１０ａに取付く面７２ａには送風機を支持する支持ねじ１４ａを挿通する通し穴７４と、側板１０ａに送風機を回動して位置決めするピッチ円状に複数設けられた角度ピッチ穴１１に合う位置決め穴７５を設け、Ｌ字のもう一方の面７２ｂには連結部材７１に固定するための取付けボルト７６が固定されている。
連結部材７１には、送風機２ａを取付けるための支持部材７２の取付けボルト７６を締付け固定するための取付け穴７７ａが、送風機２ａの長さに応じて所定の間隔で２箇所設けられている。
また、送風機２ａの両側に取り付けられる送風機２ｂ、２ｃを取付けるための取付け穴７７ｂと、この穴を中心として、送風機１ａ，２ｂ，２ｃを回動し位置決めする複数の穴を、角度１０度間隔で連続して明けて穴が繋がった円弧状のスリット８０を、取付穴７７ａと所定の距離を置いて設けている。
【００２７】
送風機２ｂ、２ｃはコの字状の支持部材７３にて、両側の支持ねじ１４ｂを支えるようにして連結部材７１に締付け固定される。
支持部材７３は、天板７８とその両側に支持板８１がコの字状に形成され、天板７８の中央には連結部材７１に固定するための取付けボルト７９が固定されている。
支持板８１には送風機を支持する軸受部８２が設けられ、この軸受部８２に送風機２ｂの支持ねじ１４ｂを支持する。軸受部８２の形状は逆Ｕ字型で、一端が切れた開口となっている。
また、軸受部８２を中心として、送風機を回動して吹出し方向を位置決めする側板１０ｂに設けられたピッチ円状に並ぶ複数の角度ピッチ穴１１に合う位置決め穴８３が設けてある。
【００２８】
連結部材７１は平面７１ａの両側に立上り部７１ｂを設けた断面がコの字状をした長尺材で、平面部７１ａに前述した取付穴７７ａ、７７ｂ、スリット８０が設けられている。
また、その両端には建物の天井等に取り付け固定するための取付部７１ｃが設けられている。
このように構成された送風装置は、連結部材７１がコの字状になっており強度が高く、また、各送風機を連結部材７１に各送風機の中央にボルトで吊下げるように取り付けているのでバランスが良く取付けが安定している。また、送風機の気流吹出し方向の変更も例えば上下方向、左右方向と複数の方向に自在に容易にできる。
【産業上の利用可能性】
【００２９】
本発明によれば、送風方向の変更、調節が自在にでき、設置後の変更も容易にできるので、室内空気の送風や循環等の気流が自由に設定できる。
【図面の簡単な説明】
【００３０】
【図１】参考例としての実施の形態１の送風装置の外観斜視図である。
【図２】参考例としての実施の形態１の送風装置の上平面図である。
【図３】参考例としての実施の形態１の送風装置の正面図である。
【図４】参考例としての実施の形態１の送風装置の送風機の断面図である。
【図５】参考例としての実施の形態１の送風装置の送風機の側面図である。
【図６】参考例としての実施の形態１の連結装置の連結板の正面図である。
【図７】参考例としての実施の形態１の連結装置の連結板の上平面図である。
【図８】参考例としての実施の形態１の連結装置の連結板の正面図である。
【図９】参考例としての実施の形態１の連結装置の連結板の下平面図である。
【図１０】参考例としての実施の形態１の送風装置の直線状態の平面図である。
【図１１】参考例としての実施の形態１の送風装置の折り曲げ状態の平面図である。
【図１２】参考例としての実施の形態２の送風装置の外観斜視図である。
【図１３】参考例としての実施の形態２の支持板の外観斜視図である。
【図１４】発明の実施の形態１の送風装置の外観斜視図である。
【符号の説明】
【００３１】
１  送風装置、  ２ａ，２ｂ，２ｃ  送風機、  １０ａ，ｂ  側板、  １２ａ  連結装置、  １３ａ  連結板、  １３ｂ  連結板、  １４ａ，ｂ  支持ねじ、  １５  連結ねじ、  ２１  連結支持部、  ３４  連結支持部、  ６０  支持板、  ６１  支持部、  ６２  連結チャンネル、  ７１  連結部材、  ７２  支持部材、  ８１  支持板。
【図１】
2008145099.tif 000003
【図２】
2008145099.tif 000004
【図３】
2008145099.tif 000005
【図４】
2008145099.tif 000006
【図５】
2008145099.tif 000007
【図６】
2008145099.tif 000008
【図７】
2008145099.tif 000009
【図８】
2008145099.tif 000010
【図９】
2008145099.tif 000011
【図１０】
2008145099.tif 000012
【図１１】
2008145099.tif 000013
【図１２】
2008145099.tif 000014
【図１３】
2008145099.tif 000015
【図１４】
2008145099.tif 000016